【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
頭蓋領域の組織構造を撮影するコンピュータ断層撮影装置であって、
−  撮影手段を支持している実質的に環状の構造（２）を支持するようにされている支持構造部（１）であって、
前記撮影手段が放射線源（２１）および画像情報受信器（２２）を含んでおり、
前記撮影手段が、前記撮影手段を支持している前記実質的に環状の構造（２）の中に、実質的に互いに対向する側に配置されており、かつ、前記撮影手段を支持している前記実質的に環状の構造（２）の中で移動可能である、前記支持構造部（１）と、
−  前記放射線源（２１）に実質的に関連して配置されているコリメータであって、前記放射線源（２１）の焦点から放出される放射線を２次元に広がる放射線ビームに制限する２次元開口部を含む、前記コリメータと、
を含んでおり、
−  前記撮影手段を支持している前記実質的に環状の構造（２）が検査開口部（４）を含んでおり、前記検査開口部（４）の中に、撮影される検査部位が撮影のために位置決め可能であり、前記検査開口部（４）の中に、照射中に撮影される組織構造を支持するための位置決め支持体（８）が取り付けられている、
コンピュータ断層撮影装置において、
前記位置決め支持体（８）によって提供される支持点の寸法が、人の頭蓋領域の寸法に従って決められ、前記位置決め支持体（８）において人が位置決めされるとき、前記人の顔が、前記検査開口部（４）の中心軸線から±４５度の角度領域を向いているように、もしくは、前記人の顔によって形成される平面が、前記撮影手段を支持している前記実質的に環状の構造（２）の中で前記撮影手段（２１，２２）が移動するときに前記撮影手段によって形成される平面に平行であるかまたは平面に対して±４５度の角度領域内にあるように、またはその両方であるように、前記位置決め支持体（８）が前記検査開口部（４）に関連して配置されている、ことを特徴とする、
コンピュータ断層撮影装置。
【請求項２】
前記撮影手段（２１，２２）の相互位置と、前記画像情報受信器（２２）の寸法と、前記位置決め支持体（８）とが、
照射によって形成される撮影されるボリューム（ＦＯＶ）が、前記位置決め支持体（８）に位置決めされている組織構造に対して、実質的に頭蓋領域の顔の側の領域内に位置しているように、
実施されている、ことを特徴とする、
請求項１に記載の撮影装置。
【請求項３】
前記位置決め支持体（８）によって提供される前記支持点が、前記検査開口部（４）の中で前記検査開口部（４）の縁部から距離を隔てて、前記検査開口部（４）の前記中心軸線の方向に位置するようにされている、ことを特徴とする、
請求項１または請求項２に記載の撮影装置。
【請求項４】
前記位置決め支持体（８）が、実質的に顎の領域における少なくとも１つの支持点と、実質的に前額の領域における少なくとも１つの支持点とを形成するようにされている、ことを特徴とする、
請求項１から請求項３のいずれかに記載の撮影装置。
【請求項５】
前記位置決め支持体（８）が、前記検査開口部（４）の前記中心軸線に対して実質的に垂直に延在する前額支持部（８２）を備えている、ことを特徴とする、
請求項１から請求項４のいずれかに記載の撮影装置。
【請求項６】
前記前額支持部（８２）が視野開口部（８２’）を備えている、ことを特徴とする、
請求項５に記載の撮影装置。
【請求項７】
前記位置決め支持体（８）が、１つまたは複数の前記支持点の位置を調整する手段を備えている、ことを特徴とする、
請求項１から請求項６のいずれかに記載の撮影装置。
【請求項８】
前記検査開口部（４）の前記中心軸線の方向、もしくは、前記検査開口部（４）の前記中心軸線の方向に垂直な方向、またはその両方向における、前記検査開口部（４）の中の前記位置決め支持体（８）の位置が、調整可能にされている、ことを特徴とする、
請求項１から請求項７のいずれかに記載の撮影装置。
【請求項９】
前記位置決め支持体（８）が、前記実質的に環状の構造（２）の前記中心軸線の方向に対して実質的に垂直な方向に、もしくは、前記中心軸線の方向に平行な方向に、またはその両方向に、移動可能であるようにされている、ことを特徴とする、
請求項１から請求項８のいずれかに記載の撮影装置。
【請求項１０】
前記位置決め支持体（８）が、前記撮影手段を支持している前記実質的に環状の構造（２）に対して、少なくとも１つのアクチュエータ（Ｍ０，Ｍ１，Ｍ２，Ｍ３）によって移動可能であるようにされている、もしくは、前記撮影手段を支持している前記実質的に環状の構造（２）が、前記実質的に環状の構造（２）の前記支持構造部（１）に対して、少なくとも１つのアクチュエータ（Ｍ０，Ｍ１，Ｍ２，Ｍ３）によって移動可能であるようにされている、またはその両方である、ことを特徴とする、
請求項１から請求項９のいずれかに記載の撮影装置。
【請求項１１】
前記撮影手段を支持している前記実質的に環状の構造（２）の前記検査開口部（４）の領域内で、前記位置決め支持体（８）を少なくとも１つのアクチュエータ（Ｍ０，Ｍ１，Ｍ２，Ｍ３）によって第１の方向に第１の速度で移動させるための制御機能と、前記撮影手段を支持している前記実質的に環状の構造（２）を、少なくとも１つのアクチュエータ（Ｍ０，Ｍ１，Ｍ２，Ｍ３）によって、前記第１の方向とは実質的に反対の方向に実質的に前記第１の速度で前記支持構造部（１）に対して同時に移動させるための制御機能と、を備えている制御システム、
を備えている、ことを特徴とする、
請求項１から請求項１０のいずれかに記載の撮影装置。
【請求項１２】
前記第１の方向における前記位置決め支持体（８）の前記移動が、前記位置決め支持体（８）を、前記実質的に環状の構造（２）の前記中心軸線の方向に実質的に垂直な方向に、前記検査開口部（４）の前記中心軸線の方に移動させることを含む、ことを特徴とする、
請求項１１に記載の撮影装置。
【請求項１３】
前記検査開口部（４）が、大部分は実質的に円弧形状であるが延長部を備えており、前記延長部によって占有される領域においては、前記円弧の中心から前記検査開口部（４）の縁部までの距離が、実質的に円弧形状である前記検査開口部（４）の前記大部分におけるよりも長いようにされている、
もしくは、
前記撮影手段を支持している前記実質的に環状の構造（２）の外側カバー（３）が、大部分は円形状であるが、前記円の中心から前記外側カバー（３）の縁部までの距離が前記大部分の円形状の半径より小さい領域を備えているようにされている、
またはその両方である、ことを特徴とする、
請求項１から請求項１２のいずれかに記載の撮影装置。
【請求項１４】
前記放射線源（２１）および前記画像情報受信器（２２）が、前記撮影手段を支持している前記実質的に環状の構造（２）の中で、１８０度より広いが実質的に３６０度より狭い回転角度、例えば約２１０±２０度にわたり、回転中心の周りに移動可能であるようにされている、ことを特徴とする、
請求項１から請求項１３のいずれかに記載の撮影装置。
【請求項１５】
前記放射線源（２１）および前記画像情報受信器（２２）が、前記放射線源（２１）が前記画像情報受信器（２２）とは前記回転中心から異なる距離において移動するように、前記撮影手段を支持している前記実質的に環状の構造（２）の中で、前記回転中心の周りに移動可能であるようにされている、ことを特徴とする、
請求項１から請求項１４のいずれかに記載の撮影装置。
【請求項１６】
前記撮影手段を支持している前記実質的に環状の構造（２）が外側カバー（３）を含んでおり、前記実質的に環状の構造（２）の前記中心軸線に垂直な方向における前記外側カバー（３）の断面が、その大部分は実質的に円弧形状にされているが切取り部を備えており、前記切取り部によって占有される領域内では、前記円弧の中心から前記外側カバー（３）の縁部までの距離が、前記外側カバー（３）のうち実質的に円弧形状である前記部分におけるよりも短く、前記検査開口部（４）の前記延長部が、前記撮影手段（２１，２２）を支持している前記実質的に環状の構造（２）の前記外側カバー（３）の前記切取り部とは実質的に反対側に位置するようにされており、前記撮影手段を支持している前記実質的に環状の構造（２）の中での前記放射線源（２１）の移動範囲が、前記撮影手段を支持している前記実質的に環状の構造（２）のうち前記外側カバー（３）の前記切取り部が形成されている領域に達しないようにされており、前記画像情報受信器（２２）の移動範囲が、前記撮影手段を支持している前記実質的に環状の構造（２）のうち前記検査開口部（４）の前記延長部が配置されている領域に達しないようにされている、ことを特徴とする、
請求項１から請求項１５のいずれかに記載の撮影装置。
【請求項１７】
前記画像情報受信器（２２）が、前記放射線源（２１）の前記焦点よりも前記回転中心により近い距離において移動するようにされており、
前記撮影手段（２１，２２）の前記回転中心からの前記延長部および前記切取り部の最大の寸法が、
前記回転中心からより遠い距離において移動するようにされている前記放射線源（２１）が、前記検査開口部（４）の前記延長部の外側を移動することができ、かつ、前記画像情報受信器（２２）が、前記撮影手段を支持している前記実質的に環状の構造（２）の前記外側カバー（３）に配置されている前記切取り部の内側を移動することができるように、
されている、ことを特徴とする、
請求項１６に記載の撮影装置。
【請求項１８】
前記検査開口部（４）の、実質的に円弧形状である前記大部分の半径が、１５ｃｍまたはそれよりいくらか大きいオーダーであり、前記撮影手段を支持している前記実質的に環状の構造（２）の、実質的に円弧形状である前記大部分の半径が、５０ｃｍまたはそれ以下のオーダーである、
もしくは、
前記撮影手段（２１，２２）の前記回転中心からの前記放射線源（２１）の前記焦点の距離が約３９０ｍｍであり、前記撮影手段（２１，２２）の前記回転中心からの前記画像情報受信器（２２）の距離が約１９０ｍｍである、
またはその両方である、ことを特徴とする、
請求項１３から請求項１８のいずれかに記載の撮影装置。
【請求項１９】
前記支持構造部（１）が、前記撮影手段を支持している前記実質的に環状の構造（２）を、その側面においてのみ支持するようにされており、したがって、前記実質的に環状の構造（２）を支持する別の支持構造部が、前記撮影手段を支持している前記実質的に環状の構造（２）の下方に配置されていない、ことを特徴とする、
請求項１から請求項１８のいずれかに記載の撮影装置。
【請求項２０】
前記撮影手段を支持している前記実質的に環状の構造（２）が、水平軸（３１）を中心に、その縦向き姿勢から一方向または両方向に旋回可能である、もしくは、その高さ位置を調整可能である、またはその両方である、ようにされている、ことを特徴とする、
請求項１から請求項１９のいずれかに記載の撮影装置。
【請求項２１】
前記撮影手段（２１，２２）の相対的な位置および前記画像情報受信器（２２）の寸法が、人の頭蓋領域の体積よりも小さい体積、例えば４ｄｍ３より小さい体積の撮影領域（ＦＯＶ）を形成するように実施されている、ことを特徴とする、
請求項１から請求項２０のいずれかに記載の撮影装置。
【請求項２２】
頭蓋領域から画像情報を収集する方法であって、撮影できるように前記頭蓋領域を位置決めし、少なくとも１８０度にわたり前記頭蓋領域の周囲に導かれる２次元の放射線ビームによって照射を実施し、前記頭蓋領域を貫通した前記放射線を、前記頭蓋領域の反対側で移動する検出器によって検出する、
方法において、
前記頭蓋領域の顔の領域によって形成される平面に実質的に平行な放射線ビームによって、実質的に前記頭蓋領域の顔の側の領域のみにおいて、組織構造が走査される、ことを特徴とする、
方法。
【請求項２３】
撮影装置が使用され、前記撮影装置が、
撮影手段を支持している実質的に環状の構造（２）を支持するようにされている支持構造部（１）であって、前記撮影手段が放射線源（２１）および画像情報受信器（２２）を含んでおり、前記撮影手段（２１，２２）が、前記撮影手段（２１，２２）を支持している前記実質的に環状の構造（２）の中に、実質的に互いに対向する側に配置されており、前記撮影手段を支持している前記実質的に環状の構造（２）の中で移動可能である、前記支持構造部（１）と、
前記放射線源（２１）の焦点から放出される放射線を２次元に広がる放射線ビームに制限する目的で、前記放射線源（２１）に実質的に関連して配置されているコリメータと、
を含んでおり、
前記撮影手段を支持している前記実質的に環状の構造（２）が検査開口部（４）を含んでおり、前記検査開口部の中に、撮影される検査部位が撮影のために位置決め可能であり、前記検査開口部の中に、照射中に撮影される組織構造を支持するための位置決め支持体（８）が配置されている、
ことを特徴とする、
請求項２２に記載の方法。
【請求項２４】
前記検査開口部（４）の中に配置されている前記位置決め支持体（８）に患者を位置決めする、前記照射の前に実行される患者位置決め段階であって、患者の位置決めに関連して、
前記検査開口部（４）の中で前記位置決め支持体（８）を移動させるステップ、
前記撮影手段を支持している前記実質的に環状の構造（２）を、水平軸を中心に旋回させるステップ、
前記撮影手段を支持している前記実質的に環状の構造（２）を、上向きまたは下向きに移動させるステップ、
前記撮影手段を支持している前記実質的に環状の構造（２）を、水平方向に移動させるステップ、
のうちの少なくとも１つが実施される、前記患者位置決め段階、
を含む、ことを特徴とする、
請求項２３に記載の方法。